(57)【要約】【課題】収納する製品の数に拘わらず、材料費を安価にすることができ、組立も容易である梱包構造を提供する。【解決手段】製品を収納するための上側及び下側収納孔２５，３５が複数形成された上側及び下側仕切部材２，３と、第１及び第２保持板４，５（保持部材）とを備える。上側及び下側仕切部材２，３には複数のスリット部１１が形成されている。収納孔２５，３５は仕切部材２，３をスリット部１１の延在方向と交差する方向に引っ張ることで、スリット部１１を開口させることにより形成される。【選択図】図１
2008120433.tif 000002
【特許請求の範囲】
【請求項１】
複数の製品を仕切って梱包するための梱包構造であって、
上記製品を収納するための収納孔がそれぞれ複数形成された一対の仕切部材と、
上記一対の仕切部材間に設けられ、該一対の仕切部材を保持する保持部材と、
を備え、
上記一対の仕切部材には複数のスリット部が形成されており、
上記収納孔は、上記仕切部材を上記スリット部の延在方向と交差する方向に引っ張ることで、上記スリット部を開口させることにより形成されることを特徴とする梱包構造。
【請求項２】
請求項１に記載の梱包構造において、
上記一対の仕切部材には、上記スリット部が一直線上に配列されたスリット列が全面に並列に形成され、隣り合う該スリット列のスリット部は延在方向において互いにずれた位置にあることを特徴とする梱包構造。
【請求項３】
請求項１又は２に記載の梱包構造において、
上記仕切部材はハニカム構造体状であることを特徴とする梱包構造。
【請求項４】
請求項１から３のいずれか１項に記載の梱包構造において、
上記保持部材は、互いに交差して組み合わされる第１保持板と第２保持板とで構成されていることを特徴とする梱包構造。
【請求項５】
請求項１から４のいずれか１項に記載の梱包構造において、
上記一対の仕切部材は、上記保持部材の上側に配置される上側仕切部材と、該保持部材の下側に配置される下側仕切部材とで構成されていることを特徴とする梱包構造。
【請求項６】
請求項５に記載の梱包構造において、
上記収納孔のうち上記上側仕切部材に形成される各上側収納孔は、上記収納孔のうち上記下側仕切部材に形成される各下側収納孔に相対する位置に形成されていることを特徴とする梱包構造。
【請求項７】
請求項５又は６に記載の梱包構造において、
上記一対の仕切部材及び保持部材を収納する収納箱をさらに備え、
上記上側仕切部材から上記収納箱の上端までの高さが、該収納箱の下端から上記下側仕切部材までの高さよりも小さいことを特徴とする梱包構造。
【請求項８】
複数の製品を仕切って梱包するための梱包構造であって、
上記製品を収納するための収納孔がそれぞれ複数形成された一対の仕切部材と、
上記一対の仕切部材が収納される収納箱とを備え、
上記収納箱は、上記仕切部材の一部と係合して該仕切部材を保持する係合部を有していることを特徴とする梱包構造。
【請求項９】
請求項８に記載の梱包構造において、
上記係合部は、上記収納箱の収納箱本体の一部から切り起こされて形成されていることを特徴とする梱包構造。
【請求項１０】
請求項８又は９に記載の梱包構造において、
上記係合部は上記収納箱の収納箱本体の側壁から内側に向かって突設され、上側に向かって突出した突起部を有し、
上記仕切部材の収納孔に上記係合部の突起部を下方から挿入させて上記仕切部材を該係合部に保持させることを特徴とする梱包構造。
【請求項１１】
請求項８から１０のいずれか１項に記載の梱包構造において、
上記一対の仕切部材は、上記収納箱の上側に配置される上側仕切部材と、該収納箱の下側に配置される下側仕切部材とで構成されていることを特徴とする梱包構造。
【請求項１２】
請求項１１に記載の梱包構造において、
上記収納孔のうち上記上側仕切部材に形成される各上側収納孔は、上記収納孔のうち上記下側仕切部材に形成される各下側収納孔に相対する位置に形成されていることを特徴とする梱包構造。
【請求項１３】
請求項８から１２のいずれか１項に記載の梱包構造において、
上記一対の仕切部材には複数のスリット部が形成されており、
上記収納孔は、上記仕切部材を上記スリット部の延在方向と交差する方向に引っ張ることで、上記スリット部を開口させることにより形成されることを特徴とする梱包構造。
【請求項１４】
請求項１３に記載の梱包構造において、  
上記一対の仕切部材には、上記スリット部が一直線上に配列されたスリット列が全面に並列に形成され、隣り合う該スリット列のスリット部は延在方向において互いにずれた位置にあることを特徴とする梱包構造。
【請求項１５】
上記請求項１３又は１４に記載の梱包構造において、
上記仕切部材はハニカム構造体状であることを特徴とする梱包構造。
【請求項１６】
請求項１１に記載の梱包構造において、
上記収納孔のうち上記下側仕切部材に形成される各下側収納孔には、開口周縁から下方に向かって内側に突出する可撓性の下側突出片が形成されていることを特徴とする梱包構造。
【請求項１７】
請求項１１に記載の梱包構造において、
上記収納孔のうち上記上側仕切部材に形成される各上側収納孔には、開口周縁から下方に向かって内側に突出する可撓性の上側突出片が形成されていることを特徴とする梱包構造。
【請求項１８】
請求項１１に記載の梱包構造において、
上記収納孔のうち上記上側仕切部材に形成される各上側収納孔には、開口周縁から下方に向かって内側に突出する可撓性の上側突出片が形成され、
上記収納孔のうち上記下側仕切部材に形成される各下側収納孔には、開口周縁から下方に向かって内側に突出する可撓性の下側突出片が形成されていることを特徴とする梱包構造。
【請求項１９】
請求項１１から１８のいずれか１項に記載の梱包構造において、
上記上側仕切部材から上記収納箱の上端までの高さが、該収納箱の下端から上記下側仕切部材までの高さよりも小さいことを特徴とする梱包構造。
【請求項２０】
請求項１１から１９のいずれか１項に記載の梱包構造において、
上記収納孔のうち上記下側仕切部材に形成される各下側収納孔は、上記収納孔のうち上記上側仕切部材に形成される各上側収納孔よりも大きな開口となるように形成されていることを特徴とする梱包構造。
【請求項２１】
請求項１から２０のいずれか１項に記載の梱包構造において、
上記製品は、電子機器であることを特徴とする梱包構造。
【発明の詳細な説明】
【技術分野】
【０００１】
複数の製品を梱包する梱包構造に関する。
【背景技術】
【０００２】
従来より、複数の製品を梱包して搬送する際に、衝撃による製品の破損等を防ぐため、パッキングケースの内部をダンボール等で仕切り、製品が入る空間を形成する梱包構造が知られている。この梱包構造は、ダンボール等により衝撃を吸収し、隣り合った製品同士の接触による衝撃を和らげて製品の破損を防ぐものである。
【０００３】
具体的には、例えば特許文献１では、縦横に組み合わせた波目構造の紙製仕切板のうち、一方の仕切板に、横方向の波目を有する仕切板が使用される。これにより、仕切板が紙製であるにも拘わらず、仕切板の横方向の荷重に対する剛性をあげて製品の倒れを防止し、梱包作業の稼動率及び作業能率を向上させるものである。
【０００４】
また、特許文献２の梱包箱は、梱包箱本体の内部を複数の小室に区分けする仕切板と、箱本体内で仕切板の上下の開放面を閉鎖するようにそれぞれ配設される天板及び底板とを備える。この底板は、仕切板を構成する複数の長板の端部を差し込む切込みを有する突起部を複数形成し、仕切板がばたつかないように押さえるようになっている。
【０００５】
また、特許文献３の梱包用仕切構造体は、輸送品の側面を覆うように仕切られ、かつ上方及び下方が開口して輸送品の収納及び取り出しが自在となるように設けられた複数の収納空間を形成する仕切部材と、複数の収納空間を跨ぎ、各収納空間に収納される各輸送品の上面及び下面の一部が当接するように、収納空間の上部及び下部に配置され、収納空間内に収納される輸送品の上方向及び下方向への衝撃に対して緩衝性を有する緩衝材とからなる。
【０００６】
また、特許文献４では、互いに平行に配置された複数の第１の仕切板と、複数の第１の仕切板に対して垂直に組み合わされた複数の第２の仕切板とを備え、複数の第１の仕切板のうち隣り合う２つの仕切板と前記複数の第２の仕切板のうち隣り合う２つの仕切板とによって、四角筒形状を有する区画部がそれぞれ形成され、これら区画部のうち一部を前記製品を収容されるための収容部とし、かつ、他の区画部を収容部の周囲に位置するとともに梱包箱の外部から前記収容部に衝撃が加わることを抑制するための緩衝部とする梱包構造が示されている。
【特許文献１】実開昭６２−９５５２３号公報
【特許文献２】特開２００３−１５５０２７号公報
【特許文献３】特開２００３−３１２６４８号公報
【特許文献４】特開２００５−３１３９６９号公報
【発明の開示】
【発明が解決しようとする課題】
【０００７】
ところで、特許文献１〜４の梱包構造では、仕切板を縦横に組み合わせることで、製品を入れる空間を設けている。このため、収納する製品の数が増えるほど仕切板が多数必要となり、材料費が高価になってしまうとともに、組立作業に時間がかかってしまうという問題がある。
【０００８】
本発明は、かかる点に鑑みてなされたものであり、その目的とするところは、収納する製品の数に拘わらず、材料費を安価にすることができ、組立も容易である梱包構造を提供することにある。
【課題を解決するための手段】
【０００９】
本発明に係る第１の梱包構造は、複数の製品を仕切って梱包するための梱包構造であって、上記製品を収納するための収納孔がそれぞれ複数形成された一対の仕切部材と、上記一対の仕切部材間に設けられ、該一対の仕切部材を保持する保持部材と、を備え、上記一対の仕切部材には複数のスリット部が形成されており、上記収納孔は、上記仕切部材を該スリット部の延在方向と交差する方向に引っ張ることで、上記スリット部を開口させることにより形成される。
【００１０】
上記の構成によると、一対の仕切部材は、その間に設けられた保持部材によって保持され、これらの一対の仕切部材の各々に形成された収納孔に製品を挿入することによって、製品が２つの収納孔の開口周縁部によって支えられて収納される。収納孔を複数形成することによって複数の製品が収納され、収納する製品の数に拘わらず、一対の仕切部材と保持部材とによって製品が収納される。すなわち、収納孔を製品の数に応じて形成すればよく、製品を仕切って収納する仕切部材の数を増やす必要がないので、材料費が安価になる。
【００１１】
また、仕切部材に複数のスリット部を形成し、この仕切部材を引っ張ってスリット部を開口させることにより複数の収納孔を一度に形成することができるので、仕切部材を容易に成形することができる。
【００１２】
本発明に係る第２の梱包構造は、上記第１の梱包構造において、上記一対の仕切部材には、上記スリット部が一直線上に配列されたスリット列が全面に並列に形成され、隣り合う該スリット列のスリット部は延在方向において互いにずれた位置にある。
【００１３】
上記の構成によると、スリット列の延在方向と交差する方向に仕切部材を引っ張ることにより、各スリット部が開口するとともに、各スリット部周囲の仕切部材がスリット列の延在方向において波形をなすように曲げ変形する。これにより、各スリット部周囲の仕切部材はハニカム枠を形成するように立ち上がり、各スリット部が開口し、収納孔として構成される。
【００１４】
本発明に係る第３の梱包構造は、上記第１又は２の梱包構造において、上記仕切部材はハニカム構造体状である。
【００１５】
上記の構成によると、仕切部材をスリット部の延在方向と交差する方向に引っ張ってスリット部を開口させて収納孔を形成することにより、仕切部材全体がハニカム構造体状に変容することとなる。このようなハニカム構造体状の仕切部材は、ハニカム枠の立ち上がりにより一定の厚みを有するとともに、ハニカム枠の腰の強さによる衝撃吸収性を有することとなり、仕切部材の緩衝性をより向上させることができる。
【００１６】
本発明に係る第４の梱包構造は、上記第１から３のいずれか１つの梱包構造において、上記保持部材は、互いに交差して組み合わされる第１保持板と第２保持板とで構成されている。
【００１７】
上記の構成によると、互いに交差して組み合わされた第１及び第２保持板によって、一対の仕切部材が保持される。保持部材が２枚の保持板によって構成されるので、一対の仕切部材と合わせて４つの部材により製品が収納される。これらの４つの部材を組み合わせればよいだけなので、組立作業が容易であるとともに、軽量な梱包構造となる。
【００１８】
本発明に係る第５の梱包構造は、上記第１から４のいずれか１つの梱包構造において、上記一対の仕切部材は、上記保持部材の上側に配置される上側仕切部材と、該保持部材の下側に配置される下側仕切部材とで構成されている。
【００１９】
上記の構成によると、一対の仕切部材は、上側仕切部材と下側仕切部材とで構成され、保持部材を上下に挟持するように配置されている。そして、上側仕切部材は、保持部材の上側でもって、下側仕切部材は、保持部材の下側でもってそれぞれ保持される。
【００２０】
本発明に係る第６の梱包構造は、上記第５の梱包構造において、上記収納孔のうち上記上側仕切部材に形成される各上側収納孔は、上記収納孔のうち上記下側仕切部材に形成される各下側収納孔に相対する位置に形成されている。
【００２１】
上記の構成によると、上側及び下側仕切部材に、上側収納孔及び下側収納孔がそれぞれ形成され、各下側収納孔が各上側収納孔に相対する位置に形成されているので、製品を上側収納孔から下側収納孔に真っ直ぐに差し込むと、上側及び下側収納孔に収納され、これらの開口周縁部によって製品が支えられる。
【００２２】
本発明に係る第７の梱包構造は、上記第５又は６の梱包構造において、上記一対の仕切部材及び保持部材を収納する収納箱をさらに備え、上記上側仕切部材から上記収納箱の上端までの高さが、該収納箱の下端から上記下側仕切部材までの高さよりも小さい。
【００２３】
上記の構成によると、上側仕切部材から収納箱の上端までの高さと、収納箱の下端から下側仕切部材までの高さとが同じである場合に比べて、同じ高さの収納箱に収納すると、下側仕切部材の収納箱の下端からの高さが高く、上側仕切部材と下側仕切部材との間隔が狭くなる。このため、上側収納孔と下側収納孔とが近く配設されて、上側収納孔から下側収納孔への製品の挿入が容易となる。
【００２４】
本発明に係る第８の梱包構造は、上記製品を収納するための収納孔がそれぞれ複数形成された一対の仕切部材と、上記一対の仕切部材が収納される収納箱とを備え、上記収納箱は、上記仕切部材の一部と係合して該仕切部材を保持する係合部を有している。
【００２５】
上記の構成によると、一対の仕切部材は、収納箱に設けられた係合部によって保持され、これらの一対の仕切部材の各々に形成された収納孔に製品を挿入することによって、製品が２つの収納孔の開口周縁部によって支えられて収納される。収納孔を複数形成することによって複数の製品が収納され、収納する製品の数に拘わらず、収納箱の係合部に保持された一対の仕切部材によって製品が収納される。すなわち、収納孔を製品の数に応じて形成すればよく、製品を仕切って収納する仕切部材の数を増やす必要がないので、材料費がより一層安価になる。
【００２６】
本発明に係る第９の梱包構造は、上記第８の梱包構造において、上記係合部は、上記収納箱の収納箱本体の一部から切り起こされて形成されている。
【００２７】
上記の構成によると、係合部を収納箱本体の一部を利用して形成することができるので、収納箱本体と別の部材を取り付けなくてもよく、部品点数を削減でき、材料費がより一層安価となる。
【００２８】
本発明に係る第１０の梱包構造は、上記第８又は９の梱包構造において、上記係合部は上記収納箱の収納箱本体の側壁から内側に向かって突設され、上側に向かって突出した突起部を有し、上記仕切部材の収納孔に上記係合部の突起部を下方から挿入させて上記仕切部材を該係合部に保持させる。
【００２９】
上記の構成によると、収納箱内に向かって各仕切部材を降ろして係合部に対応する位置にある収納孔に突起部を挿入し、係合部に仕切部材を乗せて保持させる。
【００３０】
本発明に係る第１１の梱包構造は、上記第８から１０のいずれか１つの梱包構造において、上記一対の仕切部材は、上記収納箱の上側に配置される上側仕切部材と、該収納箱の下側に配置される下側仕切部材とで構成されている。
【００３１】
上記の構成によると、一対の仕切部材は、上側仕切部材と下側仕切部材とで構成され、保持部材を上下に挟持するように配置されている。そして、上側仕切部材は、保持部材の上側でもって、下側仕切部材は、保持部材の下側でもってそれぞれ保持される。
【００３２】
本発明に係る第１２の梱包構造は、上記第１１の梱包構造において、上記収納孔のうち上記上側仕切部材に形成される各上側収納孔は、上記収納孔のうち上記下側仕切部材に形成される各下側収納孔に相対する位置に形成されている。
【００３３】
上記の構成によると、上側及び下側仕切部材に、上側収納孔及び下側収納孔がそれぞれ形成され、各下側収納孔が各上側収納孔に相対する位置に形成されているので、製品を上側収納孔から下側収納孔に真っ直ぐに差し込むと、上側及び下側収納孔に収納され、これらの開口周縁部によって製品が支えられる。
【００３４】
本発明に係る第１３の梱包構造は、上記第８から１２のいずれか１つの梱包構造において、上記一対の仕切部材には複数のスリット部が形成されており、上記収納孔は、上記仕切部材を上記スリット部の延在方向と交差する方向に引っ張ることで、上記スリット部を開口させることにより形成される。
【００３５】
上記の構成によると、仕切部材に複数のスリット部を形成し、この仕切部材を引っ張ってスリット部を開口させることにより複数の収納孔を一度に形成することができるので、仕切部材を容易に成形することができる。
【００３６】
本発明に係る第１４の梱包構造は、上記第１３の梱包構造において、上記一対の仕切部材には、上記スリット部が一直線上に配列されたスリット列が全面に並列に形成され、隣り合う該スリット列のスリット部は延在方向において互いにずれた位置にある。
【００３７】
上記の構成によると、スリット列の延在方向に仕切部材を引っ張ることにより、各スリット部が開口するとともに、各スリット部周囲の仕切部材がスリット列の延在方向において波形をなすように曲げ変形する。これにより、各スリット部周囲の仕切部材はハニカム枠を形成するように立ち上がり、各スリット部が開口し、収納孔として構成される。
【００３８】
本発明に係る第１５の梱包構造は、上記第１３又は１４の梱包構造において、上記仕切部材はハニカム構造体状である。
【００３９】
上記の構成によると、仕切部材をスリット部の延在方向と交差する方向に引っ張ってスリット部を開口させて収納孔を形成することにより、仕切部材全体がハニカム構造体状に変容することとなる。このようなハニカム構造体状の仕切部材は、ハニカム枠の立ち上がりにより一定の厚みを有するとともに、ハニカム枠の腰の強さによる衝撃吸収性を有することとなり、仕切部材の緩衝性をより向上させることができる。
【００４０】
本発明に係る第１６の梱包構造は、上記第１１の梱包構造において、上記収納孔のうち上記下側仕切部材に形成される各下側収納孔には、開口周縁から下方に向かって内側に突出する可撓性の下側突出片が形成されている。
【００４１】
上記の構成によると、下側収納孔に下側突出片が形成されており、この突出片を撓ませながら製品を挿入することにより、製品が突出片の復元力により保持されてがたつきが抑制されるとともに、輸送時の振動、落下の衝撃等から緩衝される。また、突出片が下方に向かって突出していることにより、上から製品を挿入するときに突出片が抵抗となりにくいので挿入しやすく、突出片を撓ませやすい。また、上側収納孔には突出片が形成されていないため、製品が挿入しやすい。
【００４２】
本発明に係る第１７の梱包構造は、上記第１１の梱包構造において、上記収納孔のうち上記上側仕切部材に形成される各上側収納孔には、開口周縁から下方に向かって内側に突出する可撓性の上側突出片が形成されている。
【００４３】
上記の構成によると、上側収納孔には上側突出片が形成されており、この上側収納孔に、突出片を下方に撓ませながら製品を挿入する。突出片を撓ませて挿入することにより、製品が突出片の復元力により保持されてがたつきが抑制されるとともに、突出片が輸送時の振動、落下の衝撃等の緩衝材としての役目を果たす。
【００４４】
本発明に係る第１８の梱包構造は、上記第１１の梱包構造において、上記収納孔のうち上記上側仕切部材に形成される各上側収納孔には、開口周縁から下方に向かって内側に突出する可撓性の上側突出片が形成され、上記収納孔のうち上記下側仕切部材に形成される各下側収納孔には、開口周縁から下方に向かって内側に突出する可撓性の下側突出片が形成されている。
【００４５】
上記の構成によると、上側収納孔及び下側収納孔の２箇所において、突出片が緩衝材としての役目を果たすことにより、上側及び下側のいずれか１箇所に突出片が形成される場合に比べて、より衝撃に強い梱包構造となる。
【００４６】
本発明に係る第１９の梱包構造は、上記第１１から１８のいずれか１つの梱包構造において、上記上側仕切部材から上記収納箱の上端までの高さが、該収納箱の下端から上記下側仕切部材までの高さよりも小さい。
【００４７】
上記の構成によると、上側仕切部材から収納箱の上端までの高さと、収納箱の下端から下側仕切部材までの高さとが同じである場合に比べて、同じ高さの収納箱に収納すると、下側仕切部材の収納箱の下端からの高さが高く、上側仕切部材と下側仕切部材との間隔が狭くなる。このため、上側収納孔と下側収納孔とが近く配設されて、上側収納孔から下側収納孔への製品の挿入が容易となる。
【００４８】
本発明に係る第２０の梱包構造は、上記第１１から１９のいずれか１つの梱包構造において、上記収納孔のうち上記下側仕切部材に形成される各下側収納孔は、上記収納孔のうち上記上側仕切部材に形成される各上側収納孔よりも大きな開口となるように形成されている。
【００４９】
上記の構成によると、上側収納孔に挿入した製品を下側収納孔に挿入して貫通させることが容易となる。
【００５０】
本発明に係る第２１の梱包構造は、上記第１から２０のいずれか１つの梱包構造において、上記製品が、電子機器である。この構成により、材料費が安価で、かつ組立作業が容易な電子機器の梱包構造が得られる。
【発明の効果】
【００５１】
本発明によれば、一対の仕切部材に複数の収納孔が形成され、この収納孔に製品を収納することができるので、材料費が安価であり、かつ、組立作業が容易な梱包構造を提供することができる。
【発明を実施するための最良の形態】
【００５２】
以下、本発明の実施形態を図面に基づいて説明する。
【００５３】
（実施形態１）
図１に示すように、本発明の実施形態１に係る梱包構造１は、複数の製品９（図３に仮想線で示す）を仕切って梱包するためのものである。製品９は、例えば、携帯端末等の電子機器である。
【００５４】
梱包構造１は、一対の仕切部材である上側仕切部材２及び下側仕切部材３と、これらの上側及び下側仕切部材２，３を保持する保持部材としての第１保持板４及び第２保持板５とを備えている。この梱包構造１は、上側及び下側仕切部材２，３と第１及び第２保持板４，５とを収納する収納箱６をさらに備えている。
【００５５】
図２にも示すように、第１及び第２保持板４，５は上下に複数の凸部８がそれぞれ設けられた同じ大きさの矩形状であって、長手方向中央にはそれぞれ係合溝７が形成されている。凸部８は、各保持板４，５の長手方向全域に亘って等間隔に設けられている。第１及び第２保持板４，５の係合溝７，７を互いに係合させることで、第１及び第２保持板４，５が互いに直交して、十字状に組み合わされる。
【００５６】
図４（ｂ）に示すように、上側仕切部材２及び下側仕切部材３はハニカム構造体状の正方形状のシート部材であって、製品９を収納するための上側収納孔２５及び下側収納孔３５がそれぞれ複数形成されている。これらの収納孔２５，３５は、図４（ａ）に示すように、複数の同一形状のスリット部１１が形成された上側仕切部材２をスリット部１１の延在方向と直交する方向［図４（ｂ）のＦ方向］に引っ張ることで、このスリット部１１を開口させることにより形成される。
【００５７】
具体的には、図５及び図６にも示すように、仕切部材２，３には、複数のスリット部１１と、これらのスリット部１１間の非スリット部１２とが交互に略一直線上に設けられたスリット列１３が略全面に並列に形成されている。この非スリット部１２の長さＰは、全て同じ長さであり、かつスリット部１１の長さＬよりも短く、隣り合うスリット列１３のうち一方のスリット列１３（ａ）におけるスリット部１１の中央の側方には、他方のスリット列１３（ｂ）の非スリット部１２の中央が位置するように形成されている。そして、仕切部材２，３を上記Ｆ方向に引っ張ると、この引張力が仕切部材２，３の非スリット部１２を伝わって仕切部材２，３の全面に及び、各スリット部１１を開口させるとともに各スリット部１１の周囲部分をスリット列１３の延在方向において波形をなすように曲げ変形させる。そして、仕切部材２，３の各スリット部１１の波形をなす周囲部分はハニカム枠を形成するように立ち上がり、仕切部材２，３全体がハニカム構造体状に変容するようになっている。仕切部材２，３は、上記の変容後の形状が収納箱６の形状に対応するように、変容前の図４（ａ）の状態の形状を設定してもよく、変容後に収納箱６の形状に対応するようにカットする等して形状を整えてもよい。
【００５８】
上側及び下側収納孔２５，３５は、仕切部材２，３の厚さ方向に見て、仕切部材２，３の矩形の各辺と平行にほぼ等間隔に並べられている。各収納孔２５，３５は、包装袋で包んだ製品９を容易に挿入できるように、製品９の断面の大きさよりも少し大きめに開けられている。
【００５９】
本実施形態１においては、各収納孔２５，３５は、上記第１保持板４の延びる方向（スリット列１３の延在方向に対して垂直方向）に１１個、第２保持板５の延びる方向（スリット列１３の延在方向）に９個並んで開けられている。なお、上側収納孔２５の数は、これらには限定されず、梱包しようとする製品９の数、仕切部材２，３の大きさ等により任意に設定することができる。
【００６０】
そして、第１保持板４は、仕切部材２，３の厚さ方向に見て、第２保持板５の延びる方向において、仕切部材２，３を２分割する位置に配設され、各凸部８が第２保持板５の延びる方向において中心に形成された各収納孔２５，３５に係合される。一方、第２保持板５は、仕切部材２，３の厚さ方向に見て、第１保持板４の延びる方向において、仕切部材２，３を２分割する位置に配設され、各凸部８が第１保持板４の延びる方向において中心に形成された各収納孔２５，３５に係合される。したがって、複数形成された収納孔２５，３５のうち、保持板４，５の凸部８と係合する収納孔２５，３５を除いたものに製品９を収納することができる。このように第１及び第２保持板４，５が配設されることにより、２枚の支持板で上側仕切部材２をバランスよく保持することができる。
【００６１】
また、上側仕切部材２と下側仕切部材３とが同様に形成されることにより、上側収納孔２５及び下側収納孔３５は同一形状かつ同数形成されるとともに、互いに相対する位置に配設される。
【００６２】
上記の梱包構造１の部材を組み付ける際には、まず、第１及び第２保持板４，５を係合溝７，７によって互いに係合させ、互いに直交するように十字状に組み合わせる。
【００６３】
そして、第１及び第２保持板４，５の各凸部８が上側又は下側仕切部材２，３側に向かってそれぞれ突出するように、第１及び第２保持板４，５を置き、第１及び第２保持板４，５と上側及び下側仕切部材２，３とを組み付ける。すなわち、第１及び第２保持板４，５の各凸部８と、上側及び下側仕切部材２，３側の各収納孔２５，３５とを係合させて、第１及び第２保持板４，５によって上側及び下側仕切部材２，３を保持させる。
【００６４】
そして、図３に示すように、組み付けられた第１及び第２保持板４，５と上側及び下側仕切部材２，３とを収納箱６に収納する。
【００６５】
上側及び下側仕切部材２，３の大きさは、収納箱６の内側の寸法とほぼ同じに形成されているため、上側及び下側仕切部材２，３と収納箱６の各側壁６２との間に隙間がないように上側及び下側仕切部材２，３が収納箱６に収納され、収納箱６内で上側及び下側仕切部材２，３が、がたつかないようになっている。ここで、各保持板４，５において下側の凸部８の下端から上側の凸部８の上端までの長さは、収納箱６の側壁６２の高さと略同一となっている。
【００６６】
製品９を上側収納孔２５から挿入して、上側収納孔２５に相対する位置に形成されている下側収納孔３５まで貫通させて、上側及び下側収納孔２５，３５の開口周縁部によって製品を支持する。
【００６７】
ここで、第１及び第２保持板４，５の幅方向の長さ（高さ）及び凸部８の長さによって、下側仕切部材３が収納箱６の下端から約４分の１の高さに位置し、上側仕切部材２が収納箱６の上端から約４分の１の高さに位置するように、第１及び第２保持板４，５が形成されている。このため、収納箱６の側壁６２の高さと略同一の高さの製品９を収納したとき、上側仕切部材２は製品９の上から４分の１程度の高さに位置し、下側仕切部材３は製品９の下から４分の１程度の高さに位置するようになっている。これにより、製品９の上部及び下部を上側及び下側収納孔２５，３５により支持し、製品９をバランスよく保持することができる。
【００６８】
また、上側仕切部材２が、製品９の上から４分の１程度の高さにあることにより、製品９が上側仕切部材２よりも上側に突出して収納されるので、製品９の取り出しを容易に行うことができる。
【００６９】
上側及び下側仕切部材２，３に複数の上側及び下側収納孔２５，３５を形成することで、複数の製品９を収納することができる。このとき、収納する製品９の数に拘わらず、第１及び第２保持板４，５と上側及び下側仕切部材２，３との４つの部材により製品９が収納される。すなわち、製品９を仕切って収納する仕切部材は、上側及び下側仕切部材２，３の２つで構成され、各上側及び下側収納孔２５，３５を製品９の数に応じて形成すればよく、仕切部材の数を増やす必要がないので、材料費を安価にすることができる。また、組立のための作業時間も短縮することができる。
【００７０】
また、仕切部材２，３に複数のスリット部１１を形成し、この仕切部材２，３を引っ張ってスリット部１１を開口させることにより複数の収納孔２５，３５を一度に形成することができるので、仕切部材２，３を容易に成形することができる。
【００７１】
また、スリット列１３の延在方向と交差する方向に仕切部材２，３を引っ張ることにより、各スリット部１１が開口するとともに、各スリット部１１周囲の仕切部材２，３がスリット列１３の延在方向において波形をなすように曲げ変形する。これにより、各スリット部１１周囲の仕切部材２，３はハニカム枠を形成するように立ち上がり、仕切部材２，３全体がハニカム構造体状に変容することとなる。このようなハニカム構造体状の仕切部材２，３は、ハニカム枠の立ち上がりにより一定の厚みを有するとともに、ハニカム枠の腰の強さによる衝撃吸収性を有することとなり、仕切部材２，３の緩衝性をより向上させることができる。
【００７２】
なお、第１及び第２保持板４，５は互いに直交して組み合わせたが、必ずしも直交していなくてもよく、互いに交差して組み合わされていればよい。ただし、バランスよく上側及び下側仕切部材２，３を保持するためには、第１及び第２保持板４，５は、互いに直交するか、直角に近い角度で交差して組み合わされることが好ましい。
【００７３】
また、上側仕切部材２から収納箱６の蓋６３までの高さを製品９の上から４分の１程度の高さとしたまま、収納箱６の底面６１から下側仕切部材３までの高さを製品９の下から４分の１以上の高さに設定してもよい。この場合、上側仕切部材２と下側仕切部材３との間隔が狭くなり、上側収納孔２５と下側収納孔３５とが近くなるので、上側収納孔２５から下側収納孔３５へ製品９を容易に挿入することができる。
【００７４】
（実施形態２）
次に、図７〜図９に示すように、本発明の実施形態２に係る梱包構造２０について、詳細に説明する。なお、図１と同じ構成要素については同じ符号を付し、実施形態１と同じ部分については、その詳細な説明は省略する。
【００７５】
実施形態２に係る梱包構造２０は、第１及び第２保持板４，５を有さず、収納箱６に上側及び下側仕切部材２，３と係合する係合部６６を有する点で、実施形態１に係る梱包構造１と異なる。
【００７６】
すなわち、収納箱６の収納箱本体６５において、各側壁６２の横方向一端側には上下に２つずつ、上側に向かって突出した突起部６６ａを有する鉤状（Ｌ字状）の係合部６６がそれぞれ切り抜かれている。そして、図８及び図９に示すように、この係合部６６を収納箱本体６５の内側に向かって折り曲げることで、係合部６６が収納箱本体６５から切り起こされて形成されている。
【００７７】
そして、上記各仕切部材２，３の四隅に形成された収納孔２５，３５に上記各係合部６６の突起部６６ａを下方から挿入させるように、各仕切部材２，３を収納箱本体６５内に収納する。具体的には、上記係合部６６のうち、まず各側壁６２の下側に形成された係合部６６のみを収納箱本体６５の内側に向かって折り曲げて下側仕切部材３を収納箱本体６５内に挿入し、四隅の下側収納孔３５に突起部６６ａを挿入して下側の係合部６６で下側仕切部材３を保持させる。次に、各側壁６２の上側に形成された係合部６６を収納箱本体６５の内側に向かって折り曲げて上側仕切部材２を収納箱本体６５内に挿入し、四隅の上側収納孔２５に突起部６６ａを挿入して上側の係合部６６で上側仕切部材２を保持させる。その他の構成は、実施形態１と同じである。
【００７８】
このように、各仕切部材２，３を収納箱本体６５の一部を切り起こして形成した係合部６６によって保持するので、部品点数を削減することができ、材料費をより一層安価にすることができる。
【００７９】
また、係合部６６を収納箱本体６５の側壁６２の一部を切り抜いて、収納箱本体６５の内側に折り曲げることにより容易に形成することができるので、組立を容易に行うことができる。
【００８０】
また、各仕切部材２，３の収納孔２５，３５を利用して、各仕切部材２，３を係合部６６によって保持しているので、各仕切部材２，３に係合部６６と係合する部分を別に形成する必要がなく、仕切部材２，３の加工を容易に行うことができる。
【００８１】
なお、上記実施形態２では、係合部６６は収納箱本体６５の一部を切り起こすことにより形成したが、必ずしも収納箱本体６５の一部を利用しなくてもよく、別の部材を取り付けることにより形成してもよい。
【００８２】
（実施形態３）
次に、図１０及び１１に示すように、本発明の実施形態３に係る梱包構造３０について、詳細に説明する。なお、図７及び図９と同じ構成要素については同じ符号を付し、実施形態２と同じ部分については、その詳細な説明は省略する。
【００８３】
実施形態３に係る梱包構造３０は、上側及び下側仕切部材３２，３３がハニカム構造体状ではなく板状の部材であり、これらに形成される上側及び下側収納孔３６，３７は矩形状である点で実施形態２と異なる。
【００８４】
すなわち、各収納孔３６，３７は、各仕切部材３２，３３の厚さ方向から見て各仕切部材３２，３３の正方形の各辺と平行に等間隔に並べられている。各収納孔３６，３７は、包装紙で包んだ製品９を容易に挿入できるように、製品９の断面の大きさよりも若干大きめに開けられている。例えば、製品９の断面寸法が２５ｍｍ×５０ｍｍであれば、各収納孔３６，３７を２８ｍｍ×５３ｍｍの矩形状に形成する。
【００８５】
また、実施形態３に係る梱包構造３０は、上側仕切部材３２から収納箱６の上端までの高さｈ１が、収納箱６の下端から下側仕切部材３３までの高さｈ２よりも小さい点においても、実施形態２に係る梱包構造２０と異なる。
【００８６】
すなわち、収納箱６の蓋６３を閉じたとき、上側仕切部材３２から収納箱６の蓋６３までの高さｈ１は実施形態２と同じであって、製品９の上から４分の１程度の高さである。一方、収納箱６の底面６１から下側仕切部材３３までの高さｈ２は、実施形態２の場合よりも大きい。これは、収納箱６の下側の係合部６６の位置を実施形態２の場合よりも高い位置にすることによって、ｈ１よりもｈ２を大きく設定することができる。
【００８７】
これにより、上側仕切部材３２と下側仕切部材３３との間隔が狭くなり、上側収納孔３６と下側収納孔３７とが近くなるので、上側収納孔３６から下側収納孔３７へ製品９を容易に挿入することができる。
【００８８】
また、各収納孔３６，３７の開口周縁からは下方に向かって内側に突出する可撓性の突出片３８が形成されている。
【００８９】
具体的には、突出片３８は、各収納孔３６，３７の開口周縁の矩形の各辺から、それぞれ下方に向かって内側に突出する４つの独立した台形形状に形成されている。各突出片３８は、上下に撓むことができるように形成されている。
【００９０】
製品９の断面の大きさよりも少し大きめに開けられている収納孔３６，３７から、突出片３８が内側に向かって突出している。このため、製品９を収納孔３６，３７に挿入すると、製品９に押されて突出片３８が下方に撓む。突出片３８を撓ませて挿入することにより、製品９が突出片３８の復元力により保持され、製品９のがたつきを抑制することができる。また、突出片３８が輸送時の振動、落下の衝撃等の緩衝材としての役目を果たすことができる。そして、突出片３８が下方に向かって突出していることにより、この突出片３８が抵抗となりにくく製品９を挿入しやすいとともに、突出片３８が撓みやすくなっている。その他の構成は、実施形態２と同じである。
【００９１】
このように、上側収納孔３６と下側収納孔３７との２箇所において、突出片３８が緩衝材としての役目を果たすことにより、衝撃に強い梱包構造とすることができる。
【００９２】
なお、突出片３８は、収納孔３６，３７の開口周縁の矩形の辺のうち、対向する２辺から突出する２つの台形形状に形成されていてもよい。
【００９３】
また、上記実施形態３では、上側収納孔３６と下側収納孔３７とは同じ大きさの開口に形成したが、下側収納孔３７が上側収納孔３６よりも大きな開口となるように形成してもよい。例えば、各上側収納孔２５が、２８ｍｍ×５３ｍｍの矩形状に形成されている場合、各下側収納孔３５を３０ｍｍ×５５ｍｍの矩形状に形成する。このようにすることで、上側収納孔２５に挿入した製品９を容易に下側収納孔３５まで挿入して貫通させることができる。
【００９４】
また、上記実施形態３では、上側収納孔３６及び下側収納孔３７の両方に突出片３８を形成したが、上側収納孔３６及び下側収納孔３７のいずれか一方にのみ形成してもよい。
【００９５】
上記実施形態３では、収納孔３６，３７は矩形状としたが、この形状には限定されず、円形や楕円形に形成されていてもよい。収納孔３６，３７は、製品９の断面形状をわずかに拡大した形状であることが好ましいが、製品９が携帯電話である場合には、収納孔３６，３７を円形又は楕円形とすると、携帯電話のコーナー付近が収納孔３６，３７の開口周縁で保持されるので、輸送時の振動、落下の衝撃等に強くなる。
【産業上の利用可能性】
【００９６】
以上説明したように、本発明は、複数の電子機器等の製品を梱包する梱包構造について有用である。
【図面の簡単な説明】
【００９７】
【図１】本発明の実施形態１に係る梱包構造の分解斜視図である。
【図２】実施形態１の第１及び第２保持板の分解斜視図である。
【図３】図１のIII−III線断面図である。
【図４】仕切部材の平面図であり、（ａ）はスリットを入れた状態を示し、（ｂ）は仕切部材を引っ張って収納孔を形成した状態を示す。
【図５】（ａ）は図４のX(a)−X(a)線断面図であり、（ｂ）は図４のX(b)−X(b)線断面図である。
【図６】図４（ｂ）の一部を拡大して示す平面図である。
【図７】本発明の実施形態２を示す図１相当図である。
【図８】図７のIIX−IIX線断面図である。
【図９】図８のIX−IX線断面図である。
【図１０】本発明の実施形態３を示す図７相当図である。
【図１１】図１０のXI−XI線断面図である。
【符号の説明】
【００９８】
１    梱包構造
２    上側仕切部材
３    下側仕切部材
４    第１保持板
５    第２保持板
６    収納箱
９    製品
１１  スリット部
１３  スリット列
２０  梱包構造
２５  上側収納孔
３０  梱包構造
３２  上側仕切部材
３３  下側仕切部材
３５  下側収納孔
３６  上側収納孔
３７  下側収納孔
３８  突出片
６６  係合部
６６ａ突起部
ｈ１  高さ
ｈ２  高さ
【図１】
2008120433.tif 000003
【図２】
2008120433.tif 000004
【図３】
2008120433.tif 000005
【図４】
2008120433.tif 000006
【図５】
2008120433.tif 000007
【図６】
2008120433.tif 000008
【図７】
2008120433.tif 000009
【図８】
2008120433.tif 000010
【図９】
2008120433.tif 000011
【図１０】
2008120433.tif 000012
【図１１】
2008120433.tif 000013